(57)【要約】【課題】カメラのカートリッジ室蓋の開状態を保つための機構をカートリッジ室周りの必要不可欠な部品で構成することによって開状態を保つだけの目的のために使用していた部品を削除する。【解決手段】セクターギアに施したロック爪の係止によってカートリッジ室蓋の開状態を維持し、そのロック爪の解除をカートリッジ室蓋の蓋閉じ動作に連動させてエジェクター或いは開き摘みを利用して行う。【選択図】　　　　図１
2004012555.tif 000002
【特許請求の範囲】
【請求項１】
フィルムカートリッジを収納するカートリッジ室と、フィルムカートリッジの遮光扉を開閉する遮光扉開閉部材と、該遮光扉開閉部材とカートリッジ室を挟んで対向した位置にあり該カートリッジ室のカートリッジ収納口近傍を覆うカートリッジ室蓋と、該カートリッジ室蓋を解放可能な状態にするロック解除位置と解放不能な状態にするロック位置とに変位するロック手段を有するカートリッジ室蓋開閉部材と、該カートリッジ室蓋開閉部材のロック、ロック解除動作に連動して遮光扉を開閉させると共に該カートリッジ室蓋開閉部材をロック解除位置に保持する保持手段をもつ回動部材を有するカメラにおいて、カートリッジ室蓋の蓋閉じ動作に連動して回動部材のロック解除位置の保持を解除する解除手段を有することを特徴とするカメラ。
【請求項２】
前記解除手段はカートリッジ室蓋に押されてフィルムカートリッジの挿入方向に移動可能な部材を用いることを特徴とする請求項１記載のカメラ。
【請求項３】
前記部材はフィルムカートリッジの排出機能を有することを特徴とする請求項１記載のカメラ。
【請求項４】
前記部材はカートリッジ室蓋の蓋開き機能を有することを特徴とする請求項１記載のカメラ。
【発明の詳細な説明】
【０００１】
【発明の属する技術分野】
本発明はカメラのカートリッジ室蓋開閉機構において、カートリッジ室蓋の開放可能な状態を蓋閉め動作を利用して簡単な部品構成で解除するための解除手段に関するものである。
【０００２】
【従来の技術】
特開平８−２２０６２７号公報ではカートリッジ室蓋開閉部材に設けた突起をカートリッジ排出部材に係合させることでカートリッジ室蓋開閉部材を固定し、カートリッジ室蓋を開放可能な位置に維持すると共に回動部材を介してフィルムカートリッジの遮光扉に連動する遮光扉開閉部材の閉状態を維持している。その解除はカートリッジ室蓋の蓋閉め動作の際にカートリッジの排出部材をカートリッジの装填方向に移動させて突起の係止を外すことによって行う。
【０００３】
また、特開２０００−６６２８３号公報ではカートリッジ室がカートリッジ室蓋と一体となって開閉可能なカメラにおいて、ロック爪を設けた回動部材をカートリッジ室上部に配し、そのロック爪がカートリッジ室の突起に係止することでフィルムカートリッジの遮光扉に連動する遮光扉開閉部材の閉状態を維持している。その解除はカートリッジ室蓋の蓋閉め動作の際にカメラ本体側の突起が回動部材のロック爪を押圧して外すことによって行う。
【０００４】
【発明が解決しようとする課題】
上記の公知技術において、前者はカートリッジ室蓋開閉部材の突起を係止してカートリッジ室蓋開閉部材を固定することによって回動部材を介しフィルムカートリッジの遮光扉開閉部材の閉状態を維持しているため、回動部材を直接固定する場合よりもカートリッジ室蓋開閉部材分の形状誤差が蓄積されることによって遮光扉開閉部材の位相精度が劣る。また、その係止状態をカートリッジ排出部材を用いて解除する際にカートリッジ室蓋開閉部材と同一平面状で隣接していることが必須なため設計の自由度が狭まる。
【０００５】
後者は回動部材を直接固定しており遮光扉開閉部材の位相精度の面では問題ないが、その解除手段がカートリッジ室蓋と一体になっているカートリッジ室自体を回転させることによって行うため、その開閉をするためのメカ機構が複雑となりカートリッジ室周りが大型化する要因となる。
【０００６】
そのため、本発明では回動部材にロック爪を設けて回動部材を直接固定することで遮光扉開閉部材の閉状態を維持すると共にカートリッジ室蓋開閉部材を固定することでカートリッジ室蓋の開放状態を維持し、その解除をカートリッジ室と対向する位置にあるカートリッジ室蓋の蓋閉じ動作を利用することによって行う。また、その手段はカートリッジ蓋とカートリッジ室上部を繋ぐ簡易な部品構成で行うことによってカメラをコンパクト化することを目的とする。
【０００７】
【課題を解決するための手段】
本発明は以上の課題を解決するために、フィルムカートリッジを収納するカートリッジ室と、フィルムカートリッジの遮光扉を開閉する遮光扉開閉部材と、該遮光扉開閉部材とカートリッジ室を挟んで対向した位置にあり該カートリッジ室のカートリッジ収納口近傍を覆うカートリッジ室蓋と、該カートリッジ室蓋を解放可能な状態にするロック解除位置と解放不能な状態にするロック位置とに変位するロック手段を有するカートリッジ室蓋開閉部材と、該カートリッジ室蓋開閉部材のロック、ロック解除動作に連動して遮光扉を開閉させると共に該カートリッジ室蓋開閉部材をロック解除位置に保持する保持手段をもつ回動部材を有するカメラにおいて、カートリッジ室蓋の蓋閉じ動作に連動して回動部材のロック解除位置の保持を解除する解除手段を設ける。
【０００８】
具体的には、フィルムカートリッジの挿入方向に伸びている部材、例えばフィルムカートリッジの排出部材やカートリッジ室蓋蓋開き摘みを利用する。
【０００９】
【発明の実施の形態】
（第１の実施例）
図１、図２を参照して、本出願に係る発明の第１の実施例を説明する。図１、図２は本実施例におけるフィルムカートリッジ式カメラのカートリッジ室蓋開閉機構全体を示す斜視図であり、図１はカートリッジ室蓋８の閉状態、図２は開状態を示す。
【００１０】
図１において、１はカメラ本体のカートリッジ室周辺部分、２はカートリッジ室蓋の蓋開閉部材、３は蓋開閉部材２を回転軸中心にＡ方向に回転させる蓋開き摘み、４はフィルムカートリッジを排出させるための排出部材であり、図３のバネ４３によってフィルムカートリッジの排出方向に付勢されている。５は蓋開閉部材２の回転力をフィルムカートリッジの遮光扉開閉部材６に伝えると共にロック爪５１によってカートリッジ室蓋を開放可能な状態に蓋開閉部材２を保持する回動部材、７は回動部材５を常にＢ´方向に付勢しておくトーションバネ、８はカメラ本体１に枢着されたカートリッジ室蓋である。
【００１１】
フィルムカートリッジを装填するために蓋開き摘み３を回転軸中心にＡ方向に回転させると、蓋開き摘み３に形成されている突起３１が蓋開閉部材２の係合部２１と係合し、蓋開き摘み３と共に蓋開閉部材２がＡ方向に回転する。それに伴い蓋開閉部材２のロック爪２２とカートリッジ室蓋８に形成されている係止爪８１との係止が外れ、同時にカートリッジ室蓋８を開く方向に付勢されているバネ４３によって排出部材４がカートリッジ室蓋８を押し開く。フィルムカートリッジが本体１に装填されている場合は、排出部材４の上端４２によってフィルムカートリッジの上部が押され排出される。回
動部材５は蓋開閉部材２によって回転軸を中心としてＢ方向に回転し回動部材５に形成されているロック爪５１が本体１に施された切欠部の端部１１に係合することによって回動部材５が固定され、それに連動する蓋開閉部材２を固定してカートリッジ室蓋８を開放可能な状態に維持する。このロック爪５１は弾性を有し回動部材５がＢ方向に回転すると本体１の上部をフィルムカートリッジの装填方向に乗り上げた後切欠部１１に落ち込みその端部で係止する。また、回動部材５と遮光扉開閉部材６はお互いに噛合するギアを有し、回動部材５が回転軸を中心としてＢ方向に回転するとトーションバネ７をＢ´方向に付勢しながら遮光扉開閉部材６が回転軸を中心としてＣ方向に回転し遮光扉が閉じられる。
【００１２】
図２において、回動部材５のロック爪５１が本体１の切欠部の端部１１に係合しているため、その回動部材５に連動する蓋開閉部材２が固定されカートリッジ室蓋８の開放状態を維持すると共に遮光扉開閉部材６を介してフィルムカートリッジの遮光扉の閉状態が維持されている。フィルムカートリッジ装填後、カートリッジ室蓋８を閉めるとカートリッジ室蓋８がフィルムカートリッジの排出部材４の下端４１に当接し、バネ４３をフィルムカートリッジの排出方向に付勢しながら排出部材４は装填方向に押される。
【００１３】
排出部材４の上端４２が回動部材５のロック爪５１を押し上げてロック爪５１と本体１の切欠部の端部１１との係合を外すとＢ´方向に付勢されていたトーションバネ７が回動部材５をＢ´方向に回転させる。回動部材５と連動する蓋開閉部材２は回転軸中心にＡ´方向に回転し、カートリッジ室蓋８の係止爪８１と蓋開閉部材２のロック爪２２が係合することによってカートリッジ室蓋の閉状態を維持すると共に遮光扉開閉部材６もＣ´方向に回転し遮光扉が開かれる。ここで、ロック爪５１の係止を排出部材４で解除するタイミングはカートリッジ室蓋８の係止爪８１と蓋開閉部材２のロック爪２２が係合した直後であることが望ましい。
【００１４】
図３（ａ）〜（ｄ）は第１の実施例において機能的に必要な部分を概念的に表したモデル図であり、詳細な構成は省略している。図３（ａ）〜（ｄ）に示される各々の部品は全て同一の部品であり、それぞれ異なった位置関係、係合状態を示している。この図は、カートリッジ室蓋の蓋開き動作或いは蓋閉じ動作を段階的に示している。また、回動部材５のロック爪５１の係止方向は都合上回動部材５の径方向となっているが、回動部材５の回転軸方向であることが望ましい。
【００１５】
図３（ａ）はカートリッジ室のカートリッジ室蓋８が閉じられている状態で、排出部材４に繋がるバネ４３はフィルムカートリッジの排出方向に付勢されている。
【００１６】
図３（ｂ）は蓋開閉部材２を回転軸中心にＡ方向に少し回転させた状態である。蓋開閉部材２と連動する回動部材５は回転軸中心にＢ方向に回転し、回動部材５とギアで噛合する遮光扉開閉部材はＣ方向に回転しフィルムカートリッジの遮光扉を閉じる。この時点では、カートリッジ室蓋８の係止爪８１と蓋開閉部材２のロック爪２２が係合している状態であり、排出部材４は定位置であるため回動部材５のロック爪５１は排出部材４の上部に乗り上げる形となる。
【００１７】
図３（ｃ）は蓋開閉部材２のロック爪２２とカートリッジ室蓋８の係止爪８１の係止が解除された状態であり、フィルムカートリッジを排出する方向に付勢されていた排出部材４に係るバネ４３が排出部材４を押し出してカートリッジ室蓋８を開く。この時、回動部材５のロック爪５１は本体の切欠部の端部１１に係合し回動部材５を固定するため、それに連動する蓋開閉部材２を固定することでカートリッジ室蓋８を開放可能な状態に維持すると共に遮光扉開閉部材６の閉状態を維持する。
【００１８】
図３（ｄ）は回動部材５のロック爪５１を本体の切欠部の端部１１に確実に係合させるために瞬間的に回動部材５をＢ方向に十分に回転させた状態である。手動で蓋蓋開き摘み３を回転させることによって回動部材５は図の位置まで回転可能であるが、Ｂ´方向に付勢されているトーションバネ７によって図３（ｃ）の状態に戻される。
【００１９】
蓋閉じ動作は逆の順序を辿る。図３（ｃ）の状態からカートリッジ室蓋８を手動で閉じるとカートリッジ室蓋８が排出部材４の下端４２を押してバネ４３をカートリッジの排出方向に付勢しながら排出部材４をカートリッジの排出方向とは逆方向に押し上げる。回動部材５のロック爪５１が排出部材４の上端４１によって本体１の切欠部の端部１１との係合を外すとＢ´方向に付勢されていたトーションバネ７によって回動部材５が回転軸中心にＢ´方向に回転し、それに連動して蓋開閉部材２がＡ´方向に回転してロック爪２２がカートリッジ蓋８の係止爪８１と係合し図３（ａ）の状態のようにカートリッジ蓋８の閉状態を維持する。また、遮光扉開閉部材６も回転軸中心にＣ´方向に回転し、遮光扉の開状態を維持する。
【００２０】
上記のように、カートリッジ室蓋とカートリッジ室を挟んで対向する位置にある回動部材にカートリッジ蓋の開放状態を維持するロック爪を設け、蓋閉じ動作と連動して動くフィルムカートリッジの排出部材によってその係止を解除することでカートリッジ蓋の開放状態を維持するための専用部材を必要とせず部品点数の削減となる。また、排出部材はカートリッジ室上部と下部を一直線に繋いでいるためレイアウト上の制約が少なく設計の自由度も広がる。さらに、遮光扉開閉部材の閉状態を維持するためのロック爪が遮光開閉部材と隣接する部材に施されているため、ロック爪を有する部材がいくつかの部材を間に介する場合よりも遮光扉開閉部材の位相精度が向上する。
【００２１】
（第２の実施例）
図４を参照して、本出願に係る発明の第２の実施例を説明する。図４（ａ）〜（ｄ）は図３と同様に第２の実施例において機能的に必要な部分を概念的に表したモデル図であり、詳細な構成は省略している。図４（ａ）〜（ｄ）に示される各々の部品は全て同一の部品であり、それぞれ異なった位置関係、係合状態を示している。この図は、カートリッジ室蓋の蓋開き動作或いは蓋閉じ動作を段階的に示している。また、回動部材５のロック爪５１の係止方向は都合上回動部材５の径方向となっているが、回動部材５の回転軸方向であることが望ましい。図３と異なる点は、回動部材５のロック爪５１と本体１の切欠部の端部１１との係合を蓋開き摘みを利用して解除していることである。
【００２２】
図４の９はカメラの高さ方向にスライドして動く蓋開き摘みであり、蓋開き摘み９の下端には本体１に設けられた突起１３に係合することで蓋開閉部材２を固定してカートリッジ蓋８の開放状態を維持するための係合部９１が施されている。また、１００は蓋開き摘みによるフィルムカートリッジの排出方向への操作を蓋開閉部材２のＡ方向への回転力にするためのレバーであり、本体１に施された突起１４を回転軸中心として回転する。
【００２３】
図４（ａ）はカートリッジ室のカートリッジ室蓋８が閉じられている状態で、蓋開き摘み９に繋がるバネ９５はフィルムカートリッジの装填方向に付勢されている。
【００２４】
図４（ｂ）は蓋開き摘み９をフィルムカートリッジの排出方向に少し押し下げて蓋開閉部材２を回転軸中心にＡ方向に回転させた状態である。蓋開き摘み９に施された係合部９４がレバー１００の右端を押すことで本体１に施された突起１４を回転軸中心にＤ方向に回転する。レバー１００の左端と当接する蓋開閉部材２は回転軸中心にＡ方向に回転する。また、蓋開閉部材２と連動する回動部材５は回転軸中心にＢ方向に回転し、回動部材５とギアで噛合する遮光扉開閉部材はＣ方向に回転しフィルムカートリッジの遮光扉を閉じる。
【００２５】
図４（ｃ）は蓋開閉部材２のロック爪２２とカートリッジ室蓋８の係止爪８１の係止が解除された状態であり、手動で蓋開き摘み９をフィルムカートリッジの排出方向に押し下げていくとバネ９５をフィルムカートリッジを装填方向に付勢しながらカートリッジ室蓋８を押し開くと共に本体１に施された突起１３に蓋開き摘み９の下端の係合部９１が係合し蓋開き摘み９が固定される。この時、回動部材５のロック爪５１は本体の切欠部の端部１１に係合し回動部材５を固定するため、それに連動する蓋開閉部材２を固定することでカートリッジ室蓋８を開放可能な状態に維持すると共に遮光扉開閉部材６の閉状態を維持する。
【００２６】
図４（ｄ）は回動部材５のロック爪５１を本体の切欠部の端部１１に確実に係合させるために瞬間的に回動部材５をＢ方向に十分に回転させた状態である。手動で蓋開き摘み９をフィルムカートリッジの排出方向に押し下げていくことによって回動部材５は図の位置まで回転可能であるが、Ｂ´方向に付勢されているトーションバネ７によって図３（ｃ）の状態に戻される。
【００２７】
蓋閉じ動作は逆の順序を辿る。図４（ｃ）の状態からカートリッジ室蓋８を手動で閉じるとカートリッジ室蓋８の突起８２が蓋開き摘み９の係合部９１と本体１の突起部１３との係合を解除する。その時、フィルムカートリッジの装填方向に付勢されていたバネ９５のバネ力によって蓋開き摘み９の上端部９２によって回動部材５のロック爪５１と本体１の切欠部の端部１１との係合を外すとＢ´方向に付勢されていたトーションバネ７によって回動部材５が回転軸中心にＢ´方向に回転し、それに連動して蓋開閉部材２がＡ´方向に回転してロック爪２２がカートリッジ蓋８の係止爪８１と係合し図４（ａ）の状態のようにカートリッジ室蓋８の閉状態を維持する。また、遮光扉開閉部材６も回転軸中心にＣ´方向に回転し、遮光扉の開状態を維持する。
【００２８】
上記のように、カートリッジ室蓋とカートリッジ室を挟んで対向する位置にある回動部材にカートリッジ蓋の開放状態を維持するロック爪を設け、蓋閉じ動作と連動して動くカートリッジ室蓋の開き摘みによってその係止を解除することでカートリッジ蓋の開放状態を維持するための専用部材を必要とせず部品点数の削減となる。また、蓋開き摘みはカートリッジ室上部と下部を一直線に繋いでいるためレイアウト上の制約が少なく設計の自由度も広がる。
【００２９】
さらに、遮光扉開閉部材の閉状態を維持するためのロック爪が遮光開閉部材と隣接する部材に施されているため、ロック爪を有する部材がいくつかの部材を間に介する場合よりも遮光扉開閉部材の位相精度が向上する。
【００３０】
（第３の実施例）
以上のように、カートリッジ室蓋の蓋閉じ動作に連動する部材としてフィルムカートリッジの排出部材と蓋開き摘みについて述べたが、本発明はカートリッジ室蓋に押されてフィルムカートリッジの挿入方向に移動可能な部材であれば単なる棒材でも良くこれに限られるものではない。
【００３１】
【発明の効果】
本発明の特許請求第１項によれば、カートリッジ室蓋とカートリッジ室を挟んで対向する位置にある回動部材にカートリッジ蓋の開放状態を維持するロック爪を設け、蓋閉じ動作と連動して動く部材によってその係止を解除することでカートリッジ蓋の開放状態を維持するための専用部材を必要とせず部品点数の削減となる。また、蓋閉じ動作の連動部材はカートリッジ室上部と下部繋いでいれば良くレイアウト上の制約が少ないため設計の自由度も広がる。
【００３２】
さらに、遮光扉開閉部材の閉状態を維持するためのロック爪が遮光開閉部材と隣接する部材に施されているため、ロック爪を有する部材がいくつかの部材を間に介する場合よりも遮光扉開閉部材の位相精度が向上する。
【図面の簡単な説明】
【図１】フィルムカートリッジの排出部材を用いてロックを解除する場合のカートリッジ室蓋開閉機構全体の閉状態を示す斜視図
【図２】フィルムカートリッジの排出部材を用いてロックを解除する場合のカートリッジ室蓋開閉機構全体の開状態を示す斜視図
【図３】フィルムカートリッジの排出部材を用いてロックを解除する場合のカートリッジ室蓋開閉機構の動作
【図４】蓋開き摘みを用いてロックを解除する場合のカートリッジ室蓋開閉機構の動作
【符号の説明】
１　カメラ本体のカートリッジ室周辺部分
２　カートリッジ室蓋の蓋開閉部材
３　回転式の蓋開き摘み
４　フィルムカートリッジの排出部材
５　回動部材
６　遮光扉開閉部材
７　トーションバネ
８　カートリッジ室蓋
９　蓋開き摘み
１１　切欠部の端部
５１　ロック爪
【図１】
2004012555.tif 000003
【図２】
2004012555.tif 000004
【図３】
2004012555.tif 000005
【図４】
2004012555.tif 000006